(57)【要約】  エレベータのロープソケッティング装置は、ロープを把持するロープ把持体と、ソケットから離れる方向へロープ把持体を変位させる把持体変位装置とを有している。把持体変位装置は、ロープ把持体に螺合されたねじ棒を有している。ねじ棒は、ねじ棒を回すことによりロープ把持体に対して変位されるようになっている。ロープ把持体に対して変位されるねじ棒をソケットが受けることにより、ロープ把持体はソケットから離れる方向へ変位される。ロープの末端部は、ソケットから離れる方向へのロープ把持体の変位により、ソケットに設けられたロープ通し穴内に引き込まれる。
2006126276.tif 000002
【特許請求の範囲】
【請求項１】
ロープ通し穴が設けられたソケットと、上記ロープ通し穴に通されたロープとを接続するために、上記ロープの末端部を上記ロープ通し穴内に引き込むためのエレベータのロープソケッティング装置であって、
上記ロープを把持するロープ把持体、及び
上記ロープ把持体に螺合されたねじ棒を有し、上記ねじ棒を回すことにより上記ねじ棒が上記ロープ把持体に対して変位されるようになっており、上記ロープ把持体に対して変位される上記ねじ棒を上記ソケットが受けることにより、上記ソケットから離れる方向へ上記ロープ把持体を変位させる把持体変位装置
を備え、
上記把持体変位装置は、上記ソケットから離れる方向へ上記ロープ把持体を変位させることにより、上記ロープの末端部を上記ロープ通し穴内に引き込むようになっていることを特徴とするエレベータのロープソケッティング装置。
【請求項２】
上記把持体変位装置は、上記ソケットと上記ロープ把持体との間に配置され、かつ上記ソケットに当接されたブロック体をさらに有し、
上記ソケットは、上記ブロック体を介して、上記ロープ把持体に対して変位される上記ねじ棒を受けるようになっていることを特徴とする請求項１に記載のエレベータのロープソケッティング装置。
【請求項３】
上記ブロック体には、上記ロープが通されるブロック体貫通穴が設けられており、
上記ブロック体は、互いに組み合わされることにより上記ブロック体貫通穴を形成する複数の分割部材を有していることを特徴とする請求項１又は請求項２に記載のエレベータのロープソケッティング装置。
【請求項４】
上記ロープ把持体は、互いに開離された複数本の上記ロープをまとめて把持するロープクリートであることを特徴とする請求項１乃至請求項３の何れかに記載のエレベータのロープソケッティング装置。
【発明の詳細な説明】
【技術分野】
【０００１】
この発明は、ソケットと、ソケットに通されたロープとを互いに接続するために、ロープの末端部をソケット内に引き込むためのエレベータのロープソケッティング装置に関するものである。
【背景技術】
【０００２】
エレベータにおけるロープの末端部には、例えばかごや釣合おもり等への接続のために、ソケットを事前に取り付けておく必要がある。通常、ロープの末端部にソケットを取り付けることをソケッティングと呼んでいる。ソケッティングは、ソケットに通されたロープを引いて、ロープの末端部をソケット内に深く入り込ませることにより行う。【０００３】
従来、ロープの末端部をソケット内に引き込むために、ロープを掴んだロープ掴み治具を牽引操作装置で牽引するワイヤーロープのソケッティング用治具装置が提案されている。牽引操作装置を載せた機台上には、ソケットを固定するソケット固定用治具と、牽引操作装置内のピニオン歯車と噛み合うラック歯車が固定されている。牽引操作装置は、ピニオン歯車を回転させることによりラック歯車に沿って機台上を移動されるようになっている。ロープの末端部は、牽引操作装置が移動されてロープ掴み治具を牽引することにより、ソケット内に引き込まれるようになっている（特許文献１参照）。【０００４】
【特許文献１】特開２００３−２２７０８４号公報
【発明の開示】
【発明が解決しようとする課題】
【０００５】
しかし、従来のワイヤーロープのソケッティング用治具装置では、歯車機構を有する牽引操作装置等が必要になるので、構造が複雑になってしまう。また、装置自体も大形化してしまう。【０００６】
この発明は、上記のような課題を解決するためになされたものであり、構造を簡単にすることができ、小形化を図ることができるエレベータのロープソケッティング装置を得ることを目的とする。
【課題を解決するための手段】
【０００７】
この発明によるエレベータのロープソケッティング装置は、ロープ通し穴が設けられたソケットと、ロープ通し穴に通されたロープとを接続するために、ロープの末端部をロープ通し穴内に引き込むためのエレベータのロープソケッティング装置であって、ロープを把持するロープ把持体、及びロープ把持体に螺合されたねじ棒を有し、ねじ棒を回すことによりねじ棒がロープ把持体に対して変位されるようになっており、ロープ把持体に対して変位されるねじ棒をソケットが受けることにより、ソケットから離れる方向へロープ把持体を変位させる把持体変位装置を備え、把持体変位装置は、ソケットから離れる方向へロープ把持体を変位させることにより、ロープの末端部をロープ通し穴内に引き込むようになっている。
【図面の簡単な説明】
【０００８】
【図１】この発明の実施の形態１によるエレベータのロープソケッティング装置を示す正面図である。
【図２】図１のロープとロープ止め金具との接続を行っている最中のエレベータのロープソケッティング装置を示す正面図である。
【図３】図１のIII-III線に沿った断面図である。
【図４】図１のIV-IV線に沿った断面図である。
【図５】この発明の実施の形態２によるエレベータのロープソケッティング装置を示す側面図である。
【発明を実施するための最良の形態】
【０００９】
以下、この発明の好適な実施の形態について図面を参照して説明する。
実施の形態１．
図１は、この発明の実施の形態１によるエレベータのロープソケッティング装置を示す正面図である。なお、図１は、ロープとロープ止め金具との接続が完了しているときのエレベータのロープソケッティング装置を示す正面図である。図２は、図１のロープ５とロープ止め金具１との接続を行っている最中のエレベータのロープソケッティング装置を示す正面図である。図において、ロープ止め金具１は、ソケット３と、ソケット３から延出する棒状のロッド２とを有している。ロッド２の延出端部には、例えばかごや釣合おもり等に固定されるためのねじ部４が設けられている。【００１０】
ソケット３には、ロープ５が通されるロープ通し穴６が設けられている。ロープ通し穴６は、ソケット３の先端部（ソケット３のロッド２から離れた側の端部）に設けられたロープ側開口部６ａと、ソケット３の中間部に設けられたロッド側開口部６ｂとを有している。ロープ通し穴６の内径は、ソケット３の先端部で最も小さくなっており、ロッド２に近づくに従って連続的に大きくなっている。即ち、ロープ側開口部６ａの内径は、ロッド側開口部６ｂの内径よりも小さくなっている。【００１１】
ロープ通し穴６内には、ウェッジ（楔）７がロッド側開口部６ｂから挿入されるようになっている。ウェッジ７の外周部には、溝部８が設けられている。ロープ５は、溝部８に沿ってウェッジ７に巻かれることにより反転されている。【００１２】
ロープ５は、本体部５ａと、本体部５ａに連続し、ウェッジ７に巻かれた末端部５ｂと、末端部５ｂに連続し、ウェッジ７による反転により反対方向へ戻された戻り部５ｃとを有している。【００１３】
ロープ５は、ロープ側開口部６ａからロープ通し穴６内に挿入され、ウェッジ７により反転された後、ロープ側開口部６ａからソケット３外へ引き出されている。即ち、本体部５ａ及び戻り部５ｃは、共通のロープ側開口部６ａからソケット３外へ引き出されている。【００１４】
ロープ５の末端部５ｂは、本体部５ａ及び戻り部５ｃをソケット３から離れる方向へ引くことにより、ウェッジ７に巻かれた状態でロープ通し穴６内に引き込まれるようになっている。また、ロープ５の末端部５ｂは、ロープ通し穴６内に引き込まれたときには、ロープ通し穴６の内面とウェッジ７との間に噛み込むようになっている。【００１５】
ロープ５には、末端部５ｂをロープ通し穴６内に引き込むために、エレベータのロープソケッティング装置（以下、単に「ソケッティング装置」という）９が装着されている。ソケッティング装置９は、ロープ５を把持するロープ把持体１０と、ソケット３から離れる方向へロープ把持体１０を変位させる把持体変位装置１１とを有している。【００１６】
ロープ把持体１０は、ロープ側開口部６ａから引き出されているロープ５の本体部５ａ及び戻り部５ｃをまとめて把持している。把持体変位装置１１は、ロープ把持体１０に螺合された複数（この例では、２本）のねじ棒（ジャッキアップボルト）１２と、ロープ把持体１０とソケット３との間に配置され、各ねじ棒１２が当接するブロック体１３とを有している。【００１７】
各ねじ棒１２は、ロープ把持体１０を貫通している。また、各ねじ棒１２は、ねじ棒１２を回すことにより、ソケット３に近づく方向及びソケット３から離れる方向へロープ把持体１０に対して変位される。各ねじ棒１２は、ねじ棒１２がロープ把持体１０に対して変位される方向へ延びている。なお、各ねじ棒１２は、互いに平行に配置されている。【００１８】
ブロック体１３は、各ねじ棒１２とソケット３との間に挟まれている。また、ブロック体１３は、ソケット３の先端部に当接されている。ブロック体１３には、各ねじ棒１２が当接されるねじ棒当接面１３ａと、ソケット３が当接されるソケット当接面１３ｂとが設けられている。ねじ棒当接面１３ａとソケット当接面１３ｂとは、互いに平行になっている。ブロック体１３には、ねじ棒当接面１３ａとソケット当接面１３ｂとの間でブロック体１３を貫通するブロック体貫通穴１４が設けられている。ブロック体貫通穴１４には、ロープ５の本体部５ａ及び戻り部５ｃが緩く通されている。【００１９】
把持体変位装置１１は、ブロック体１３を介して、ロープ把持体１０に対して変位される各ねじ棒１２をソケット３が受けることにより、ソケット３から離れる方向へロープ把持体１０を変位させるようになっている。即ち、把持体変位装置１１は、各ねじ棒１２及びブロック体１３のロープ把持体１０に対するソケット３に近づく方向への変位をソケット３によって規制することにより、ソケット３から離れる方向へロープ把持体１０を変位させるようになっている。【００２０】
図３は、図１のIII-III線に沿った断面図である。図において、ロープ把持体１０は、ロープ５の本体部５ａ及び戻り部５ｃをまとめて挟む一対の挟み部材１５，１６と、各挟み部材１５，１６を互いに締結する複数の締結装置１７とを有している。ロープ把持体１０は、各締結装置１７の各挟み部材１５，１６に対する締結力により、ロープ５の本体部５ａ及び戻り部５ｃを把持するようになっている。【００２１】
各挟み部材１５，１６の互いに対向する部分には、螺合された各ねじ棒１２に平行なロープ保持用溝部１８，１９が設けられている。ロープ５の本体部５ａ及び戻り部５ｃは、各ロープ保持用溝部１８，１９に挿入された状態で、各挟み部材１５，１６により挟まれている。また、本体部５ａ及び戻り部５ｃは、各挟み部材１５，１６により挟まれているときには、互いに接触するようになっている。各ロープ保持用溝部１８，１９のそれぞれの溝深さは、本体部５ａ及び戻り部５ｃのそれぞれの直径よりも小さい寸法とされている。本体部５ａ及び戻り部５ｃは、各締結装置１７による各挟み部材１５，１６に対する締結力により、各ロープ保持用溝部１８，１９内で互いに押し付けられるようになっている。これにより、本体部５ａ及び戻り部５ｃのロープ把持体１０に対する滑りが防止される。【００２２】
各締結装置１７は、各挟み部材１５，１６に通された通しボルト２０と、通しボルト２０に螺合されるナット２１とを有している。各通しボルト２０は、各ロープ保持用溝部１８，１９を避けて各挟み部材１５，１６に通されている。また、ナット２１は、通しボルト２０に対する緩みを防止するために、各通しボルト２０についてダブルナットとされている。各締結装置１７は、通しボルト２０に螺合されたナット２１の締め付けにより、各挟み部材１５，１６を互いに近づく方向へ変位させ、各挟み部材１５，１６を互いに締結するようになっている。【００２３】
図４は、図１のIV-IV線に沿った断面図である。図において、ブロック体１３は、複数（この例では、２つ）の分割部材２２，２３と、各分割部材２２，２３を互いに締結する複数の締結装置２４とを有している。【００２４】
各分割部材２２，２３には、貫通穴用溝部２５，２６が設けられている。ブロック体貫通穴１４は、各分割部材２２，２３を互いに組み合わせて、各貫通穴用溝部２５，２６を互いに対向させることにより形成される。【００２５】
各締結装置２４は、各分割部材２２，２３に通された通しボルト２７と、通しボルト２７に螺合されるナット２８とを有している。各通しボルト２７は、各貫通穴用溝部２５，２６を避けて各分割部材２２，２３に通されている。また、ナット２８は、通しボルト２７に対する緩みを防止するために、各通しボルト２７についてダブルナットとされている。各締結装置２４は、通しボルト２７に螺合されたナット２８の締め付けにより、各分割部材２２，２３を締結するようになっている。【００２６】
次に、ロープ通し穴６内にロープ５を引き込むときの手順について説明する。まず、ロープ側開口部６ａからロープ通し穴６内にロープ５を挿入し、挿入したロープ５をロッド側開口部６ｂから引き出す。この後、ロープ５を溝部８に沿ってウェッジ７に巻き掛け、ロープ５を反転させる。この後、反転されたロープ５をロッド側開口部６ｂからロープ通し穴６内に挿入し、挿入したロープ５をロープ側開口部６ａから引き出す。【００２７】
この後、ロープ５のロープ側開口部６ａから引き出されている部分、即ちロープ５の本体部５ａ及び戻り部５ｃを各挟み部材１５，１６でまとめて挟み、通しボルト２０及びナット２１で各挟み部材１５，１６を締結する。即ち、ロープ５の本体部５ａ及び戻り部５ｃをロープ把持体１０でまとめて把持する。【００２８】
この後、ロープ５のロープ把持体１０とソケット３との間の部分が各貫通穴用溝部２５，２６内に配置されるように各分割部材２２，２３を組み合わせ、通しボルト２７及びナット２８で各分割部材２２，２３を締結する。即ち、ロープ５のロープ把持体１０とソケット３との間の部分がブロック体貫通穴１４内を通るようにブロック体１３を組立てる。この後、ブロック体１３のソケット当接面１３ｂをソケット３の先端部に当接させる。この後、各ねじ棒１２を回して、ブロック体１３のねじ棒当接面１３ａに各ねじ棒１２を当接させる（図２）。【００２９】
この後、各ねじ棒１２がブロック体１３に当接された状態で、例えばスパナ等の工具により各ねじ棒１２をさらに回す。これにより、ロープ把持体１０がソケット３から離れる方向へ変位される。これにより、ロープ５の末端部５ｂがウェッジ７とともにロッド側開口部６ｂからロープ通し穴６内に引き込まれ、ロープ通し穴６の内面とウェッジ７との間に噛み込む（図１）。【００３０】
この後、上記と逆の手順によって、ブロック体１３と、ロープ把持体１０及び各ねじ棒１２とをロープ５から取り外すことにより、ロープ５の末端部５ｂをロープ通し穴６内に引き込む作業が完了する。【００３１】
このようなソケッティング装置９では、ロープ５がロープ把持体１０により把持され、ねじ棒１２がロープ把持体１０に螺合されており、ロープ把持体１０に対して変位されるねじ棒１２をソケット３が受けることにより、ソケット３から離れる方向へロープ把持体１０が変位されるようになっているので、歯車機構等の複雑な機構の使用を回避することができ、ソケッティング装置９の構造を簡単にすることができる。また、ソケッティング装置９の小形化を図ることもできる。【００３２】
また、ロープ把持体１０に対して変位されるねじ棒１２をソケット３がブロック体１３を介して受けるようになっているので、例えばねじ棒１２を当接させるための十分なスペースがソケット３の先端部に設けられていない場合であっても、ブロック体１３にねじ棒１２を当接させることができ、ねじ棒１２のソケット３に対する変位を規制することができる。【００３３】
また、ブロック体１３は、互いに組み合わされることによりブロック体貫通穴１４を形成する複数の分割部材２２，２３を有しているので、ロープ５がブロック体貫通穴１４に通された状態であっても、ブロック体１３を分割して、ブロック体１３を容易に取り外すことができる。【００３４】
実施の形態２．
上記の例では、ロープ把持体１０は、１本のロープ５のみを把持するようになっているが、複数本のロープ５を互いに開離させてまとめて把持するロープクリートをロープ把持体としてもよい。【００３５】
即ち、図５は、この発明の実施の形態２によるエレベータのロープソケッティング装置を示す側面図である。図において、エレベータのロープソケッティング装置３１は、複数本のロープ５を互いに開離させてまとめて把持するロープ把持体であるロープクリート３２と、ソケット３から離れる方向へロープクリート３２を変位させる把持体変位装置３３とを有している。【００３６】
ロープクリート３２は、各ロープ５を挟む一対の挟み部材３４と、各挟み部材３４を互いに締結する複数の締結装置３５とを有している。ロープクリート３２は、各締結装置３５の各挟み部材３４に対する締結力により、各ロープ５を把持するようになっている。なお、各締結装置３５は、実施の形態１の締結装置１７と同様の構成とされている。【００３７】
各挟み部材３４の互いに対向する部分には、複数のロープ保持用溝部３６が設けられている。各ロープ保持用溝部３６は、実施の形態１のロープ保持用溝部１８，１９と同様の構成とされている。各ロープ５の本体部５ａ及び戻り部５ｃは、各ロープ保持用溝部３６に挿入された状態で、実施の形態１と同様にして各挟み部材３４により挟まれている。これにより、本体部５ａ及び戻り部５ｃの各ロープ保持用溝部３６内からの抜けが防止される。【００３８】
把持体変位装置３３は、実施の形態１の把持体変位装置１１と同様の構成とされている。即ち、把持体変位装置３３は、ロープクリート３２に螺合された複数のねじ棒１２と、ロープクリート３２とソケット３との間に配置され、各ねじ棒１２が当接するブロック体１３とを有している。把持体変位装置３３は、ロープクリート３２をソケット３から離れる方向へ変位させることにより、末端部５ｂをソケット３内に引き込むようになっている。【００３９】
ブロック体１３は、ロープ５の末端部５ｂを引き込む対象とされたソケット３の先端部に当接されるようになっている。各ねじ棒１２は、ブロック体１３に当接されるように、ロープクリート３２に螺合されている。ロープクリート３２は、各ねじ棒１２がブロック体１３に当接された状態で各ねじ棒１２を回すことにより、ソケット３から離れる方向へ変位される。他の構成は実施の形態１と同様である。【００４０】
次に、各ソケット３内にロープ５を引き込むための手順について説明する。まず、実施の形態１と同様にして、各ロープ５をソケット３のそれぞれに通し、各ソケット３について、ロープ５の本体部５ａ及び戻り部５ｃをロープ側開口部６ａから引き出しておく。この後、各ロープ５の本体部５ａ及び戻り部５ｃをまとめてロープクリート３２によって把持する。このとき、ロープクリート３２には、各ねじ棒１２を螺合させておく。【００４１】
この後、複数のロープ５のうち、いずれかのロープ５がブロック体貫通穴１４に通されるように、ロープクリート３２とソケット３との間でブロック体１３を組立てた後、ブロック体１３をソケット３の先端部に当接させる。この後、ロープクリート３２に螺合された各ねじ棒１２を回して、各ねじ棒１２をブロック体１３に当接させる。【００４２】
この後、実施の形態１と同様に、各ねじ棒１２をさらに回し、ロープ５の末端部５ｂをソケット３内に引き込む。この後、上記と逆の手順により、ブロック体１３を分割してロープ５から取り外し、各ねじ棒１２をロープクリート３２から取り外す。【００４３】
この後、ロープクリート３２の各ねじ棒１２が螺合される位置を変更し、末端部５ｂの引き込みが完了していないロープ５について、上記と同様の手順により末端部５ｂをソケット３内に引き込む。このようにして、各ロープ５の末端部５ｂを１つずつソケット３内に引き込み、すべてのロープ５について末端部５ｂのソケット３内への引き込みを行う。【００４４】
この後、各ねじ棒１２をロープクリート３２から取り外し、ブロック体１３をロープ５から取り外すことにより、ロープ５のソケット３内への引き込み作業が完了する。【００４５】
このようなエレベータのロープソケッティング装置３１では、互いに開離された複数本のロープ５をまとめて把持するロープクリート３２がロープ把持体とされているので、ロープ５をソケット３に引き込むためだけにロープ把持体を別個に準備する必要がなくなり、部品点数をさらに少なくすることができる。【００４６】
なお、各上記実施の形態では、ブロック体１３は、複数の分割部材２２，２３を有しているが、ブロック体を分割せず一体成形してもよい。このようにすれば、ブロック体１３を構成する部品点数を少なくすることができ、コストの低減化を図ることができる。この場合、ロープ把持体によりロープ５が把持された後では、ロープ５をブロック体貫通穴１４に通すことができなくなってしまうので、ロープ５は、ロープ把持体によって把持される前に、ブロック体貫通穴１４に通される。【００４７】
また、各上記実施の形態では、ブロック体１３は、ロープ５のソケット３内への引き込みが完了した後にロープ５から取り外されるようになっているが、ロープ５のソケット３内への引き込みが完了した後にブロック体１３をロープ５から取り外してもよいし、ソケット３の先端部に当接させたまま残しておいてもよい。【００４８】
また、各上記実施の形態では、各ねじ棒１２がブロック体１３に当接されており、ソケット３は、ブロック体１３を介して、ロープ把持体に対して変位される各ねじ棒１２を受けるようになっているが、ソケット３の先端部に各ねじ棒１２が当接可能なスペースが設けられているのであれば、各ねじ棒１２をソケット３の先端部に直接当接させるようにしてもよい。このようにすれば、ブロック体１３をなくすことができ、部品点数をさらに少なくすることができる。また、ロープ５のソケット３内への引き込み作業をさらに容易にすることができる。【００４９】
また、各上記実施の形態では、ロープ５に接続されるソケット３は、ロープ通し穴６の内面とウェッジ７との間でロープ５の末端部５ｂを噛み込ませる楔式のソケットとされているが、各ストランドをそれぞれ折り返して構成されたロープの末端部を内部に引き込むバビット式のソケットとしてもよい。この場合、ロープは、ソケット内を通された後に、複数のストランドにほぐされ、各ストランドを折り返して末端部が構成される。また、末端部がソケット内に引き込まれるように、ロープのソケットから引き出されている部分にロープ把持体が取り付けられる。
【図１】
2006126276.tif 000003
【図２】
2006126276.tif 000004
【図３】
2006126276.tif 000005
【図４】
2006126276.tif 000006
【図５】
2006126276.tif 000007
【国際調査報告】
2006126276.tif 000008
2006126276.tif 000009
2006126276.tif 000010